(57)【要約】【課題】  周囲の温度が変化しても破損する虞が少ない車両用表示装置を提供する。【解決手段】  表示パネル１０は、画像を表示する。保護パネル部材２０は、画像を透視する。枠体３０は、保護パネル部材２０の外周に設けられる。保護パネル部材２０の側面の一部が露出している。表示パネル１０は透光性接着剤１５にて保護パネル部材２０に接着されているものである。また、本発明は、前記枠体３０は、前記保護パネル部材２０の側面の一部を覆っている。【選択図】  図２
2015055810.tif 000002
【特許請求の範囲】
【請求項１】
画像を表示する表示パネルと、前記画像を透視する保護パネル部材と、前記保護パネル部材の外周に設けられた枠体と、を備えた表示装置であって、前記保護パネル部材の側面の少なくとも一部が露出していることを特徴とする表示装置。
【請求項２】
前記表示パネルは透光性接着剤にて前記保護パネル部材に接着されていることを特徴とする請求項１に記載の表示装置。
【請求項３】
前記枠体は、前記保護パネル部材の側面の一部を覆っていることを特徴とする請求項１に記載の表示装置。
【請求項４】
前記枠体は、前記保護パネル部材の後面に固着していることを特徴とする請求項１に記載の表示装置。
【請求項５】
前記枠体は、不透明な樹脂からなり、前記保護パネル部材と一体に形成されていることを特徴とする請求項１に記載の表示装置。
【請求項６】
前記保護パネル部材と前記表示パネルとの間にタッチパネルと設け、前記保護パネル部材と前記タッチパネルとが透光性接着剤にて接着されていると共に、前記タッチパネルと前記表示パネルとが透光性接着剤にて接着されていることを特徴とする請求項１に記載の表示装置。
【発明の詳細な説明】
【技術分野】
【０００１】
本発明は、画像を表示する表示パネルを備えた車両用表示装置に関するものである。
【背景技術】
【０００２】
従来の表示装置として、例えば特許文献１に開示されたものがある。斯かる表示装置は、透明カバープレートまたはタッチパネルと表示器とを光学接着剤で接着された構造になっている。これにより、タッチパネルや透明カバープレートと空気層との界面での反射が減少して画質が向上する。しかし、特許文献１記載の構造では、透明カバープレートと枠体の固定が単純接着であるため、気密性が求められる車両用表示装置（特に二輪車や農機、建機、船舶など）に適用した場合、気密性が確保できないという問題があった。この問題に対して、特許文献２では、射出成形によってガラスに枠体が成形されるため、上記問題を解決できる。
【先行技術文献】
【特許文献】
【０００３】
【特許文献１】特開２００９−２５８３３号公報
【特許文献２】特開２０１０−２１５１３３号公報
【発明の概要】
【発明が解決しようとする課題】
【０００４】
しかしながら、特許文献１と特許文献２を組合わせた場合の表示装置では、透明カバープレートと枠体の温度変化に対する膨張収縮量が大きく異なるため、温度適用範囲の広い車両用表示装置に適用すると、変形または破損する虞があった。
本発明は、この問題に鑑みなされたものであり、周囲の温度が変化しても破損する虞が少ない車両用表示装置を提供するものである。
【課題を解決するための手段】
【０００５】
本発明は、画像を表示する表示パネルと、前記画像を透視する保護パネル部材と、前記保護パネル部材の外周に設けられた枠体と、を備えた表示装置であって、前記保護パネル部材の側面の少なくとも一部が露出しているものである。
【０００６】
また、本発明は、前記表示パネルは透光性接着剤にて前記保護パネル部材に接着されているものである。
【０００７】
また、本発明は、前記枠体は、前記保護パネル部材の側面の一部を覆っているものである。
【０００８】
また、本発明は、前記枠体は、前記保護パネル部材の後面に固着しているものである。
【０００９】
また、本発明は、前記枠体は、不透明な樹脂からなり、前記保護パネル部材と一体に形成されているものである。
【００１０】
また、本発明は、前記保護パネル部材と前記表示パネルとの間にタッチパネルと設け、前記保護パネル部材と前記タッチパネルとが透光性接着剤にて接着されていると共に、前記タッチパネルと前記表示パネルとが透光性接着剤にて接着されているものである。
【発明の効果】
【００１１】
保護パネル部材の側面の少なくとも一部が露出させることにより、温度変化による破損を防止できる。
【図面の簡単な説明】
【００１２】
【図１】本発明の第一実施形態を示す正面図。
【図２】同上実施形態を示す断面図。
【図３】同上実施形態を示すブロック図。
【図４】本発明の第二実施形態を示す断面図。
【図５】本発明の第三実施形態を示す断面図。
【図６】本発明の第四実施形態を示す正面図。
【図７】同上実施形態を示す断面図。
【図８】本発明の他の実施形態を示す正面図。
【図９】同上実施形態を示す断面図。
【図１０】本発明の他の実施形態を示す断面図。
【発明を実施するための形態】
【００１３】
以下、添付図面に基づいて、本発明の一実施形態を説明する。図１乃至図３は、第一実施形態を示すものである。
【００１４】
車両用表示装置は、液晶表示パネル１０，カバーパネル（保護パネル部材）２０，枠体３０，回路基板４０，筐体５０，中ケース６０を備えている。液晶表示パネル１０は、ＴＦＴ型カラー液晶モジュールからなるものであり、車両速度等の車両情報を表示する。液晶表示パネル１０は、マルチドットやセグメントタイプのものであっても良く、単色表示やフルカラー表示は問わない。また、表示パネルはＥＬモジュールであっても良い。液晶表示パネル１０は、透光性接着剤１５にてオプティカルボンディングされており、カバーパネル２０の後面に密着されている。
【００１５】
透光性接着剤１５は、例えば、無色透明な接着剤であり、厚さは５０μｍ〜５００μｍである。透光性接着剤１５は、窓部２１ｂを覆うように形成される。透光性接着剤１５は、カバーパネル２０と同等の屈折率を有しており、例えば、１．４〜１．５５の屈折率を有する。透光性接着剤１５は、初期的に液状であり、製造工程の中で硬化される。液状状態では、透光性接着剤１５の粘度は、２５００〜５０００ｍＰａ・ｓ程度である。
【００１６】
透光性接着剤１５は、液晶表示パネル１０の接着面やカバーパネル２０の線膨張係数の違いによる伸縮を吸収し、且つ、接着面に剥がれが発生しない程度の弾性、接着力を持つゲル状に硬化する。透光性接着剤１５は、生産性の高いＵＶ硬化型であることが好ましいが、ハイブリット硬化型であっても良い。透光性接着剤１５は、シリコーン接着剤であることが好ましいが、ウレタン系、アクリル系であっても良い。
【００１７】
カバーパネル２０は平板形状の無機ガラスからなるものであり、正面視で矩形になっている。カバーパネル２０の前面には、反射防止，防汚，停電防止，赤外線カット等の機能を有するコーティングやフィルムを施しても良い。カバーパネル２０は枠体３０にインサート成型されている。カバーパネル２０の側面の一部は、枠体３０に覆われずに露出している。カバーパネル２０の後面には黒色印刷層からなる遮光部２１が形成されており、この遮光部２１は、液晶表示パネル１０の画像を透視する矩形の窓部２１ｂと、警告表示部となる円形の窓部２１ｃとを有している。
【００１８】
枠体３０は、ＡＥＳ等の樹脂からなるものであり、カバーパネル２０が一体に形成されている。枠体３０は、カバーパネル２０の側面の一部を覆うように、カバーパネル２０の外周を覆っている。枠体３０内の空間には、液晶表示パネル１０，回路基板５０及び中ケース６０が収容されている。
【００１９】
回路基板４０は、ガラスエポキシ樹脂からなる基材に銅箔からなる配線パターンを形成したものであり、発光素子４１が搭載されている。発光素子４１は、遮光部２１の窓部２１ｃに対応する個所に配置されている。筐体５０は、ＡＥＳやＰＰ等の樹脂からなるものである。筐体５０は、ビス５１によって枠体３０の後面に固定されている。中ケース６０は、不透明な樹脂（ＰＰ等）からなるものであり、この中ケース６０の後面側に回路基板４０が配置されている。中ケース６０は、発光素子４１に対応する個所に形成された貫通孔６１を有している。
【００２０】
図３は、車両用表示装置の電気的構成を示すブロック図である。マイコン１００は、ＣＰＵ１０１，ＲＯＭ１０２，ＲＡＭ１０３を有している。速度センサ１１０は、車両速度を検出し、マイコン１００に速度データを出力する。マイコン１００は、ＲＯＭ１０２に格納されている所定のプログラムに基づいて、液晶表示パネル１０，発光素子４１を駆動する。
【００２１】
第一実施形態では、枠体３０と筐体５０とがビス５１によって固定されているが、図４に示す第二実施形態のように、弾性係止片３１によって枠体３０と筐体５０とを固定しても良い。
【００２２】
図５は第三実施形態を示すものである。車両用表示装置は、液晶表示パネル１０，カバーパネル２０，枠体３０，回路基板４０，筐体５０，中ケース６０，タッチパネル７０を備えている。保護パネル部材は、カバーパネル２０及びタッチパネル７０からなるものである。
【００２３】
液晶表示パネル１０は、透光性接着剤１５にてオプティカルボンディングされており、タッチパネル７０の後面に密着されている。タッチパネル７０は透光性接着剤７５にてオプティカルボンディングされており、カバーパネル２０の後面に密着されている。
【００２４】
タッチパネル７０は枠体３０にインサート成型されている。タッチパネル７０は、無機ガラスまたはＰＥＴフィルムを基材とし、透明導電コートが形成されているものである。タッチパネル７０は、静電容量方式であることが望ましい。
【００２５】
カバーパネル２０は平板形状の無機ガラスからなるものであり、正面視で矩形になっている。カバーパネル２０の側面は、枠体３０に覆われずに露出している。カバーパネル２０後面には黒色印刷層からなる遮光部２１が形成されており、この遮光部２１は、液晶表示パネル１０の画像を透視する矩形の窓部２１ｂと、警告表示部となる円形の窓部２１ｃとを有している。
【００２６】
枠体３０は、不透明な樹脂からなるものであり、保護パネル部材が一体に形成されている。枠体３０は、タッチパネル７０の側面を覆うように、タッチパネル７０の外周を覆っている。枠体３０内の空間には、回路基板５０及び中ケース６０が収容されている。
【００２７】
各実施形態によれば、枠体３０がカバーパネル２０の側面の一部のみを固定領域にしているため、温度変化による破損が防止される。なお、本発明は、種々の変形が可能であり、例えば、図６及び図７に示す第四実施形態を示すものである。枠体３０の一部カバーパネル２０の前面まで固定領域として、枠体３０によって意匠性をもたせても良い。
【００２８】
また、図８乃至図１０に示すように、カバーパネル２０またはタッチパネル７０の裏側部分だけを固定領域にしても良い。なお、枠体３０の外形は、カバーパネル２０よりも若干小さくなっている。
【符号の説明】
【００２９】
１０  液晶表示パネル（表示パネル）
１５  透光性接着剤
２０  カバーパネル
３０  枠体
７０  タッチパネル
７５  透光性接着剤
【図１】
2015055810.tif 000003
【図２】
2015055810.tif 000004
【図３】
2015055810.tif 000005
【図４】
2015055810.tif 000006
【図５】
2015055810.tif 000007
【図６】
2015055810.tif 000008
【図７】
2015055810.tif 000009
【図８】
2015055810.tif 000010
【図９】
2015055810.tif 000011
【図１０】
2015055810.tif 000012